(57)【要約】  実施例では、ユーザ装置（UE）は、UEが接続すべき無線ローカルエリアネットワーク（WLAN）及び／又はWLANアクセスポイント（AP）をUEが選択するために使用されてもよい１つ以上のアクセスネットワーク発見及び選択機能（ANDSF）ポリシーを識別することができてもよい。UEは、UEが接続すべきWLAN公衆陸上移動体ネットワーク（PLMN）のUEによる選択の前に、WLAN及び／又はWLAN  APを選択するために、識別されたANDSFポリシーを使用することができてもよい。
2015536096.tif 000002
【特許請求の範囲】
【請求項１】
無線ローカルエリアネットワーク（WLAN）アクセスポイント（AP）を選択するように構成されたユーザ装置（UE）であって、
アクセスネットワーク発見及び選択機能（ANDSF）ポリシーにアクセスするネットワーク選択モジュールと、
前記ネットワーク選択モジュールに結合され、前記UEの訪問公衆陸上移動体ネットワーク（VPLMN）の訪問オペレータと相互接続するWLANのWLAN  APの指示を受信し、前記ANDSFポリシーに少なくとも部分的に基づいて前記訪問オペレータと相互接続する前記WLANの前記WLAN  APに前記UEを接続する要求を送信する送受信モジュールとを有するUE。
【請求項２】
前記ANDSFポリシーは、前記UEのホーム公衆陸上移動体ネットワーク（HPLMN）のホームオペレータのANDSFポリシーである、請求項１に記載のUE。
【請求項３】
前記ANDSFポリシーは、前記訪問オペレータのANDSFポリシーである、請求項１に記載のUE。
【請求項４】
前記送受信モジュールは、前記ANDSFポリシーに少なくとも部分的に基づいて前記VPLMNに前記UEを接続する要求を更に送信する、請求項１に記載のUE。
【請求項５】
前記ANDSFポリシーは、前記UEの位置、日時、又は前記UEのホーム公衆陸上移動体ネットワーク（HPLMN）の負荷を有するWLAN選択パラメータを有する、請求項１ないし４のうちいずれか１項に記載のUE。
【請求項６】
前記ANDSFポリシーは、システム間モビリティポリシー（ISMP）又はシステム間ルーティングポリシー（ISRP）を有する、請求項１ないし４のうちいずれか１項に記載のUE。
【請求項７】
前記ネットワーク選択モジュールに結合された電源を更に有する、請求項１ないし４のうちいずれか１項に記載のUE。
【請求項８】
無線ローカルエリアネットワーク（WLAN）を選択する方法であって、
ユーザ装置（UE）により、アクセスネットワーク発見及び選択機能（ANDSF）ポリシーにアクセスするステップと、
前記UEにより、WLANの指示を受信するステップと、
前記UEにより、前記ANDSFポリシーに少なくとも部分的に基づいて、選択されたWLANとしての前記WLANを選択するステップと、
前記UEにより、公衆陸上移動体ネットワーク（PLMN）の指示を受信するステップと、
前記UEにより、前記選択されたWLANに少なくとも部分的に基づいて、前記PLMNを選択するステップと
を有する方法。
【請求項９】
前記WLANの前記指示は、前記WLANのアクセスポイント（AP）のサービスセット識別子（SSID）である、請求項８に記載の方法。
【請求項１０】
前記ANDSFポリシーは、前記UEの位置又は日時を有するWLAN選択パラメータを有する、請求項８又は９に記載の方法。
【請求項１１】
前記ANDSFポリシーは、システム間モビリティポリシー（ISMP）又はシステム間ルーティングポリシー（ISRP）を有する、請求項８又は９に記載の方法。
【請求項１２】
前記ANDSFポリシーは、3GPP（third  generation  partnership  project）ANDSFポリシーである、請求項８又は９に記載の方法。
【請求項１３】
前記UEにより、前記UEのホームネットワークのオペレータから前記ANDSFポリシーを受信するステップを更に有する、請求項８又は９に記載の方法。
【請求項１４】
前記UEにより、前記UEのローミングネットワークのオペレータから前記ANDSFポリシーを受信するステップを更に有する、請求項８又は９に記載の方法。
【請求項１５】
アクセスネットワーク発見及び選択機能（ANDSF）ポリシーを構築する命令を含む１つ以上のコンピュータ読み取り可能媒体であって、
前記命令は、ANDSFサーバによる前記命令の実行のときに、前記ANDSFサーバに対して、
複数の無線ローカルエリアネットワーク（WLAN）の複数のアクセスポイント（AP）の複数のサービスセット識別子（SSID）と、WLAN選択パラメータと、ユーザ装置（UE）に対して各SSIDのそれぞれの優先度に従って前記複数のSSIDのうち１つのSSIDに関連するアクセスポイントに接続させる命令とを含むANDSFポリシーを構築させ、
前記ANDSFポリシーを前記UEに送信させる１つ以上のコンピュータ読み取り可能媒体。
【請求項１６】
前記ANDSFサーバは、前記UEのホームネットワークのANDSFサーバである、請求項１５に記載の１つ以上のコンピュータ読み取り可能媒体。
【請求項１７】
前記ANDSFサーバは、前記UEの訪問ネットワークのANDSFサーバである、請求項１５に記載の１つ以上のコンピュータ読み取り可能媒体。
【請求項１８】
前記WLAN選択パラメータは、前記WLANの位置、日時、又は無線ネットワークの負荷を有する、請求項１５ないし１７のうちいずれか１項に記載の１つ以上のコンピュータ読み取り可能媒体。
【請求項１９】
前記ANDSFポリシーは、システム間モビリティポリシー（ISMP）又はシステム間ルーティングポリシー（ISRP）である、請求項１５ないし１７のうちいずれか１項に記載の１つ以上のコンピュータ読み取り可能媒体。
【請求項２０】
前記ANDSFポリシーは、3GPP（third  generation  partnership  project）ANDSFポリシーである、請求項１５ないし１７のうちいずれか１項に記載の１つ以上のコンピュータ読み取り可能媒体。
【請求項２１】
アクセスネットワーク発見及び選択機能（ANDSF）ポリシーを構築する装置であって、
複数の無線ローカルエリアネットワーク（WLAN）の複数のアクセスポイント（AP）の複数のサービスセット識別子（SSID）と、WLAN選択パラメータと、ユーザ装置（UE）に対して各SSIDのそれぞれの優先度に従って前記複数のSSIDのうち１つのSSIDに関連するアクセスポイントに接続させる命令とを含むANDSFポリシーを構築する手段と、
前記ANDSFポリシーを前記UEに送信する手段と
を有する装置。
【請求項２２】
前記ANDSFサーバは、前記UEのホームネットワークのANDSFサーバである、請求項２１に記載の装置。
【請求項２３】
前記ANDSFサーバは、前記UEの訪問ネットワークのANDSFサーバである、請求項２１に記載の装置。
【請求項２４】
前記WLAN選択パラメータは、前記WLANの位置、日時、又は無線ネットワークの負荷を有する、請求項２１ないし２３のうちいずれか１項に記載の装置。
【請求項２５】
前記ANDSFポリシーは、3GPP（third  generation  partnership  project）システム間モビリティポリシー（ISMP）又はシステム間ルーティングポリシー（ISRP）である、請求項２１ないし２３のうちいずれか１項に記載の装置。
【発明の詳細な説明】
【技術分野】
【０００１】
この出願は、“ADVANCED  WIRELESS  COMMUNICATION  SYSTEMS  AND  TECHNIQUES”という題で2012年9月28日に出願された米国仮特許出願第61/707,784号の優先権を主張した、“ANDSF  POLICIES  FOR  WLAN  AND  PLMN  SELECTION”という題で2013年5月15日に出願された米国特許出願第13/895,261号の優先権を主張し、この全内容を援用する。
【０００２】
実施例は、無線ネットワークに関し、特に、このような無線ネットワークにおいてアクセスネットワーク発見及び選択機能を利用する装置、方法及び記憶媒体に関する。
【背景技術】
【０００３】
ここに提供される背景技術の説明は、この開示の状況を概して提示する目的のものである。この背景技術の分野に記載の範囲において、本発明者の研究、及び他にも出願時に従来技術として適格でない可能性がある説明の側面は、この開示に対する従来技術として明白に又は暗示的に認められるものではない。特に示されない限り、この部分に記載の手法は、この開示の特許請求の範囲に対する従来技術ではなく、この部分に含まれることにより従来技術と認められるものではない。
【０００４】
無線ローカルエリアネットワーク（WLAN：wireless  local  area  network）、公衆陸上移動体ネットワーク（PLMN：public  land  mobile  network）の選択は、TS22.234、TS23.234、TS24.234のような3GPP技術仕様（TS：technical  specification）で指定されたinterworking-WLAN（i-WLAN）アーキテクチャの一部として、3GPP（third  generation  partnership  project）とWLANシステムとの相互接続のために、3GPP仕様のリリース6で導入された。これらの技術仕様では、ユーザ装置（UE：user  equipment）は、WLANにサービスを提供してもよいサービスプロバイダ又はPLMNを選択するように指示されてもよい。これらのサービスは、インターネットへの基本接続のようなサービス、又はインターネットプロトコル（IP：Internet  Protocol）マルチメディアシステムサービス（IMS：IP  Multimedia  System  service）、ボイスオーバーIP（VoIP：Voice  over  IP）、ビデオオンデマンド（VOD：video  on  demand）、メディア／コンテンツストリーミング等のような他のサービスを含んでもよい。3GPP仕様のリリース8では、i-WLANアーキテクチャで指定されたWLANのPLMN選択を変更するために使用され得るアクセスネットワーク発見及び選択機能（ANDSF：access  network  discovery  and  selection  function）ポリシーが導入された。
【発明の概要】
【発明が解決しようとする課題】
【０００５】
現在では、リリース6及びリリース8により導入された概念を共存させることを可能にするため、PLMN選択が最初に生じ、次に、i-WLANアーキテクチャにおいてWLAN又はWLAN  APを選択するためにANDSFポリシーの適用が生じ得る。しかし、サービスプロバイダ／PLMNは、単一のWLANネットワークのみに接続され得る。従って、サービスプロバイダ／PLMNを選択することにより、例えば、１つ以上のサービスセット識別子（SSID：service  set  identifier）及び／又はWLAN  APにより識別され得るWLANネットワークも初期設定で選択される可能性がある。
【図面の簡単な説明】
【０００６】
【図１】様々な実施例によるUEと基地局とを有するネットワークシステムのハイレベルな例の概略図
【図２】様々な実施例による複数のPLMNを含むネットワークトポロジの例
【図３】様々な実施例によるWLANネットワークを選択する例示的な処理
【図４】様々な実施例によるANDSFポリシーを構成する例
【図５】ここに記載の様々な実施例を実施するために使用され得る例示的なシステムの概略図
【発明を実施するための形態】
【０００７】
実施例は添付図面と共に以下の詳細な説明から容易に理解できる。この説明を容易にするために、同様の参照符号は同様の構成要素を示す。実施例は、添付図面において限定ではなく、一例として示される。
【０００８】
UEが接続すべきi-WLANアーキテクチャに基づくWLANの選択中に、UEがANDSFポリシーを考慮することを可能にする装置、方法及び記憶媒体がここに記載される。実施例では、UEは、UEが接続すべきPLMNを最初に選択することなく、WLANの選択中にANDSFポリシーを考慮することが可能になり得る。或る実施例では、UEは、ANDSFポリシーに少なくとも部分的に基づいてi-WLANアーキテクチャを使用してWLANネットワークに最初に接続し、次に、選択されたWLANネットワークに少なくとも部分的に基づいてUEが接続すべきPLMNを選択してもよい。他の実施例では、UEは、WLANネットワークを選択した後にPLMNを選択しなくてもよい。
【０００９】
以下の詳細な説明では、本願の一部を形成する添付図面に参照が行われる。添付図面において、同様の番号は全てに渡って同様の部分を示しており、実施され得る例示的な実施例により図示されている。他の実施例が利用されてもよく、この開示の範囲を逸脱することなく、構造的又は論理的変更が行われてもよいことが分かる。従って、以下の詳細な説明は限定的な意味で受け取られるべきではなく、実施例の範囲は特許請求の範囲及びその均等物により規定される。
【００１０】
様々な動作は、複数の別個の動作又は順の動作として記載され、また、特許請求の範囲の対象を理解するのに最も有用であるように記載される。しかし、説明の順序は、これらの動作が必然的に順序に依存していることを意味するものとして解釈されるべきではない。特に、これらの動作は、提示の順序で実行されなくてもよい。記載の動作は、記載の実施例とは異なる順序で実行されてもよい。様々な更なる動作が実行されてもよく、及び／又は記載の動作が更なる実施例において省略されてもよい。
【００１１】
この開示の目的で、“A及び／又はB”及び“A又はB”という語句は、(A)、(B)又は(A及びB)を意味する。この開示の目的で、“A、B及び／又はC”という語句は、(A)、(B)、(C)、(A及びB)、(A及びC)、(B及びC)又は(A、B及びC)を意味する。
【００１２】
この説明は、“一実施例では”又は“実施例では”という語句を使用することがある。これは、同じ又は異なる実施例の１つ以上をそれぞれ示してもよい。更に、“有する”、“含む”、“持つ”等の用語は、この開示の実施例に関して使用され、同義語である。
【００１３】
図１は、様々な実施例による無線通信ネットワーク100を概略的に示している。無線通信ネットワーク100（以下、“ネットワーク100”）は、セルラネットワークでもよく、例えば、E-UTRAN（evolved  universal  mobile  telecommunication  system  (UMTS)  terrestrial  radio  access  network）のような3GPP（3rd  Generation  Partnership  Project）のLTE（long-term  evolution）ネットワークでもよい。他の実施例では、ネットワーク100は、IEEE802.11  Wi-FiネットワークのようなWLANでもよい。ネットワークは、UE110と無線で通信するように構成されたインフラストラクチャノード105（例えば、eNB（enhanced  node  B））を含んでもよい。実施例では、インフラストラクチャノード105は、i-WLANアーキテクチャに従って3GPPシステムと相互接続するWLANネットワークに属するWLAN  APでもよい。ここで使用されるWLAN及びWLAN  APは、特に言及しない限り、前述のi-WLANアーキテクチャを使用してもよく、i-WLANアーキテクチャに基づいてもよい。
【００１４】
図１に示すように、UE110は、送受信モジュール120を含んでもよい。送受信モジュール120は、ネットワーク100の他のコンポーネント（例えば、インフラストラクチャノード105）と無線で通信するために、UE110のアンテナ125に更に結合されてもよい。アンテナ125は、電力増幅器130により電力供給されてもよい。電力増幅器130は、図１に示すように送受信モジュール120のコンポーネントでもよく、UE110の別のコンポーネントでもよい。一実施例では、電力増幅器130は、アンテナ125での全ての送信に電力を提供する。他の実施例では、複数の電力増幅器、複数のアンテナ、又はこれらの双方がUE110に存在してもよい。実施例では、UE110は、１つ以上のプロセッサ又はコントローラを含んでもよいネットワーク選択モジュール155を含んでもよい。ネットワーク選択モジュール155は、図示のように送受信モジュール120の一部でもよいが、他の実施例では、ネットワーク選択モジュール155は、送受信モジュール120から離れてもよい。ネットワーク選択モジュール155は、UE110が接続すべき１つ以上のWLAN又はWLAN  APを選択するように構成されてもよい。UE110が複数のWLAN及び／又はWLAN  APを同時に選択する選択肢を有する場合、ネットワーク選択モジュール155は、どのWLAN及び／又はWLAN  APにUE110が接続すべきかを決定するように構成されてもよい。実施例では、ネットワーク選択モジュール155は、ここに記載の処理を実行するように構成されたハードウェア、ソフトウェア、ファームウェア又は他の種類のロジックでもよい。
【００１５】
更に、図１に示すように、UE110は、図１に示すように通信モジュール160を含んでもよい。或る実施例では、通信モジュール160は、送受信モジュール120の一部でもよいが、他の実施例では、通信モジュール160は、送受信モジュール120から離れてもよい。実施例では、通信モジュール160は、ネットワーク選択モジュール155に結合され、アンテナ120に対して、例えばインフラストラクチャノード105に無線信号を送信させるように又はインフラストラクチャノード105から無線信号を受信させるように構成されてもよい。
【００１６】
インフラストラクチャノード105は、UE110のようなネットワークコンポーネントと無線で通信するために、インフラストラクチャノード105のアンテナ140に結合された送受信モジュール135を含んでもよい。インフラストラクチャノード105は、送受信モジュール135に結合された電力増幅器145と、電力コントローラ150とを更に含んでもよい。実施例では、電力増幅器145は、アンテナ140での全ての送信に電力を提供する。他の実施例では、複数の電力増幅器若しくは複数のアンテナ、又はこれらの双方がインフラストラクチャノード105に存在してもよい。
【００１７】
図２は、ネットワークトポロジの例を示している。実施例では、前述のUE110と同様のものでもよいUE200は、２つの別のPLMN（UEのホームオペレータ210により運用されるホームPLMN（HPLMN：home  PLMN）205及び訪問オペレータ220により運用される訪問PLMN（VPLMN：visited  PLMN）215）の範囲内にある。実施例では、ホームオペレータ210及び／又は訪問オペレータ220は、電話通信又はセルラ会社のような事業体、コーヒーショップのような企業、又は他の種類のサービスプロバイダ若しくはネットワークオペレータでもよい。実施例では、ホームオペレータ210は、UEが契約又は他の種類の企業関係を有する事業体でもよい。実施例では、HPLMN205又はホームオペレータ210は、UEがHPLMN205又はi-WLANアーキテクチャに従ったWLANネットワークのようなHPLMNにより運用されるネットワークに接続することを可能にし得る証明書を提供してもよい。これに対して、訪問オペレータ220は、UE200が契約又は他の企業関係若しくは証明書を有さないオペレータでもよい。しかし、UE200は、HPLMN205により提供された証明書に基づいて、HPLMN205又はVPLMN215に接続することができてもよい。
【００１８】
HPLMN205に接続されるときに、UE200は、その“ホーム”ネットワークにあると言われてもよい。VPLMN215に接続されるときに、UE200は、その“ローミング”又は“訪問”ネットワークに存在すると言われてもよい。或る実施例では、ホームオペレータ210は、訪問オペレータ220との合意又は契約を有してもよい。例えば、或る実施例では、ホームオペレータ210は、ホームオペレータ210のUE（例えば、UE200）がVPLMN215にアクセスし得るような、訪問オペレータ220との合意を有してもよい。例えば、VPLMN215又は訪問オペレータ220は、UE200のVPLMN215へのアクセスを許可する前に、HPLMN205又はホームオペレータ210とのUE200の証明書を確認しておよい。確認は、UE200がHPLMN205及び／又はホームオペレータ210により供給された証明書を有するか否か、及び証明書がUE200のVPLMN215へのアクセスを許可するか否かを決定することを含んでもよい。実施例では、ホームオペレータ210及び訪問オペレータ220は、例えば、UE200のVPLMN215へのアクセスを許可することに対して訪問オペレータ220がホームオペレータ210にいくら請求してもよいかに関して、既存の関係を有してもよい。これらの請求は、UE200のユーザとホームオペレータ210との間の元々の契約の合意の要素でもよい。このように、VPLMN215は、ホームオペレータ210と訪問オペレータ220との間の合意に基づいて、HPLMN205のオーバーフローを扱うように構成されてもよい。
【００１９】
図２に示すように、HPLMN205のようなPLMNは、i-WLAN相互接続アーキテクチャに従ってHPLMN205と相互接続するように構成された複数のWLAN225を有してもよい。
WLAN225のそれぞれは、１つ以上のWLAN  AP（図示せず）を有してもよい。VPLMN215のようなPLMNはまた、i-WLANアーキテクチャに従ってVPLMN215と相互接続するように構成されたWLAN230に接続されてもよい。WLAN225と同様に、実施例では、WLAN230は、１つ以上のWLAN  AP（図示せず）を有してもよい。HPLMN205が２つのWLAN225を備えて示されており、VPLMN215が単一のWLAN230を備えて示されているが、他の実施例では、HPLMN205は、単一のWLAN225のみ又は２つより多くのWLAN225に接続されてもよい。同様に、VPLMN215は、２つ以上のWLAN230に接続されてもよい。
【００２０】
HPLMN205に接続するために、UE200は、i-WLANアーキテクチャ又は他のアーキテクチャに従ってHPLMN205と相互接続するWLANネットワーク225の１つ以上のWLAN  APに接続するように構成されてもよい。同様に、UE200は、i-WLANアーキテクチャ又は他の同様のアーキテクチャに従ってVPLMN215と相互接続するWLANネットワーク230の１つ以上のWLAN  APに接続するように構成されてもよい。実施例では、WLAN225又は230のWLAN  APは、SSID、WLAN特有識別子（WSID：WLAN  specific  identifier）、ネットワークアクセス識別子（NAI：network  access  identifier）、組織的固有識別子（OUI：organizationally  unique  identifier）、又はWLAN及び／又はWLANのAPの他の識別子に基づいて、UE200にとって識別可能でもよい。前述のように、3GPP仕様のリリース6は、UEによるPLMN選択の概念を提供している。或る場合には、3GPP仕様のリリース6により指定されるPLMN選択は、入力としてWLANにおけるAPの好ましいSSIDの順序付きリストを使用してもよい。しかし、3GPP仕様のリリース8により導入されたANDSFポリシーは、前述のように、UEが接続すべきi-WLANアーキテクチャに基づくPLMNと相互接続するWLANネットワークの選択に関して、更に詳細なルールを提供するために使用されてもよい。例えば、ANDSFポリシーは、日時、UEの位置、ネットワークの負荷、又は他のパラメータのようなパラメータに基づくWLAN選択ポリシーに基づいて、異なる動作を記述してもよい。
【００２１】
リリース6のPLMN選択ルールと、リリース8のANDSFポリシーのパラメータを組み合わせるために、現在のWLANネットワーク選択手順は、最初にPLMNを選択して、次に選択されたPLMNネットワーク内でWLANネットワークの選択の際にANDSFポリシーを使用することに依存してもよい。例えば、既存のPLMN及びWLAN選択処理は以下のようになってもよい。
【００２２】
1)UEは、UEが接続し得るそれぞれのWLANを決定し、場合によっては、WLANにおけるWLAN  APのSSID又はWSIDに基づいてそれぞれのWLANの優先順位を決定してもよい。
【００２３】
2)遭遇するSSID／WSID毎に、UEは、どのPLMNがSSID／WSIDにより識別されたWLANに接続されるかを決定してもよい。
【００２４】
3)識別されたPLMNは、HPLMN、利用可能なものの中から最高優先度の等価なHPLMN、UEのUSIM（universal  subscriber  identity  module）の“i-WLANの最後に登録されたPLMN”データ要素のPLMN、USIM／ME（mobile  equipment）の“i-WLANアクセスのためのユーザにより制御されたPLMN選択”データファイル内のPLMN、USIM／MEの“i-WLANアクセスのためのオペレータにより制御されたPLMN選択”データファイル内のPLMN、及び最後にランダムな順序の他のPLMNの順序で優先順位が付けられてもよい。前述の優先順位に従って最高優先度を有するPLMNがUEにより選択されてもよい。
【００２５】
4)PLMNが選択されると、UEは、そのPLMNに接続されたWLAN又はWLAN  APのSSID／WSIDを決定してもよい。UEは、WLAN及び／又はWLAN  APに１つ以上のAPDSFポリシーを適用し、ANDSFポリシーに基づいて、UEが接続すべきWLAN及び／又はWLAN  APを決定してもよい。特に、これらの現在のポリシーでは、UEは、前に選択されたPLMNに存在するWLANネットワーク及び／又はWLANネットワークのWLAN  APのみにANDSFポリシーを適用し得る。しかし、図２を参照して前述したように、HPLMN205及びVPLMN215のようなPLMNは、単一のWLANネットワーク（例えば、WLAN230）のみに接続されることがある。
【００２６】
5)選択されたWLAN又はWLAN  APへの認証の成功及び接続のときに、UEは、どのWLAN、WLAN  AP及び／又はPLMNをUEが選択したか及び／又はUEが接続されるかをUEのユーザに示してもよい。UEは、UEのUSIM／MEにPLMNを更に格納してもよい。認証が成功しない場合、UEの動作は実装依存でもよい。
【００２７】
前述のリストに従って分かるように、現在の実装では、ANDSFポリシーの使用は必要でないことがある。例えば、PLMNが単一のWLANのみに接続されている場合、WLANの選択は、UEがPLMNを選択したときに初期設定で生じる。
【００２８】
図３は、ANDSFポリシーを更に効率的に使用するためのUE200のようなUEで生じ得る処理の例を示している。図３の処理において、UEは、300において、まず１つ以上のANDSFポリシーを識別してもよい。或る実施例では、ANDSFポリシーは、ホームオペレータ210及び／又は訪問オペレータ220のようなネットワークオペレータにより構築され、UEに供給されてもよい。他の実施例では、UEは、１つ以上のANDSFポリシーを予めロード又は予め提供されてもよい。或る実施例では、ANDSFポリシーは、システム間モビリティポリシー（ISMP：inter-system  mobility  policy）及び／又はシステム間ルーティングポリシー（ISRP：inter-system  routing  policy）でもよい。
【００２９】
305において、UEはまた、UEが接続できるWLAN及び／又はWLAN  APのリストを受信してもよい。例えば、WLAN及び／又はWLAN  APのリストは、UEの近くのSSID及び／又はWSIDをUEがスキャンした結果でもよい。310において、UEは、受信したWLAN及び／又はWLAN  APのリストにおいてWLAN及び／又はWLAN  APを選択するために１つ以上のANDSFポリシーを適用してもよい。特に、UEは、UEが接続すべきPLMNを最初に決定せずに、ANDSFポリシーに基づいてWLAN及び／又はWLAN  APを選択することが可能でもよい。
【００３０】
実施例では、315において、UEは、PLMNのリストを受信してもよい。PLMNのリストは、それぞれ識別されたWLAN及び／又はWLAN  APに接続されたPLMNのサポートを決定した結果でもよい。或る実施例では、315で受信したPLMNのリストは、310においてANDSFポリシーに基づくWLAN及び／又はWLAN  APの選択の前に生じてもよい。しかし、これらの実施例では、ANDSFポリシーに基づくWLAN及び／又はWLAN  APの選択は、依然として、最初にUEが接続すべきPLMNを選択せずに生じてもよい。
【００３１】
320において、UEは、任意選択で、識別されたPLMNのリストからUEが接続すべきPLMNを選択してもよい。実施例では、PLMNの選択は、ANDSFポリシーに基づくWLAN及び／又はWLAN  APの選択に基づいてもよい。
【００３２】
図３の処理が起動され得る事例の一例として、オペレータ（例えば、UEのホームオペレータ）がi-WLAN管理オブジェクト（MO）又はUEのUSIMにおいてWLAN情報（例えば、WLANにおけるWLAN  APのSSIDのリスト）をUEに提供しない可能性がある。或る実施例では、オペレータは、i-WLAN  MOをUEに提供しないことすらある。従って、UEは、UEが接続すべきWLAN、WLAN  AP及び／又はPLMNを決定するために図３の処理を使用してもよい。
【００３３】
前述の処理は、複数のかなりの利点を提供し得ることが分かる。特に、ANDSFポリシーは、PLMN及び／又はWLANを選択するための現在の手順より多くのパラメータを有してもよい。従って、ANDSFポリシーの使用は、UEの方からWLAN、WLAN  AP及び／又はPLMNの更に状況依存の選択を可能にし得る。
【００３４】
一例の事例として、UE（例えば、図２のUE200）は、HPLMN205に接続されたWLAN225のWLAN  APにアクセスすることができてもよい。更に、UEは、VPLMN215に接続されたWLAN230のWLAN  APにアクセスすることができてもよい。実施例では、UE200は、所与の時間ウィンドウのようなWLAN選択パラメータに少なくとも部分的に基づいて、UE200をVPLMN215のWLAN230に接続するように指示するANDSFポリシー（例えば、UEのホームオペレータ210から供給されたANDSFポリシー）を識別してもよい。このような指示は、他のWLAN選択パラメータ（例えば、UE200の位置）に更に依存してもよい。UE200が最初にPLMNを選択し、次にそのPLMNに対応するWLAN及び／又はWLAN  APを選択する前述の現在のPLMN選択手順を使用して、UEは、ANDSFポリシーの指示とは対照的に、HPLMN205のWLAN225に接続する可能性がある。しかし、図３の前述の処理を使用して、UE200は、ANDSFポリシーにより指示されたとおり、所与の時間ウィンドウの間に、その代わりにVPLMN215のWLAN230に接続する。
【００３５】
この事例は、例えば、ホームオペレータ210がHPLMN205のオーバーフローを扱うためにVPLMN215の訪問オペレータ220と合意を有する場合に、適切になり得る。ホームオペレータ210は、ANDSFポリシーをUE200に供給してもよく、U200は、ANDSFポリシーを予め提供されてもよい。ポリシーは、UE200に対して、VPLMN215に結合するように指示してもよい。これにより、HPLMN205の負荷及び輻輳を低減する。HPLMN205の負荷及び輻輳は、例えば飛行機が空港に到着したとき、又は例えば短時間の間にUEの大量の流入が存在する都市地域のラッシュアワーのため、生じる可能性がある。
【００３６】
図３に関して前述したように、315においてPLMNのリストを受信し、320においてPLMNを選択することは任意選択でもよい。他の事例では、前述の図２を参照して、UE200は、WLAN225及び230の双方にアクセス可能になってもよい。一般的に、PLMN選択は、現在では、UE200がそのWLANインタフェースを活性化し、他の無線アクセス期間（例えば、電源投入中又はカバレッジがないところからの復旧の後）にPLMNを選択していない場合に考えられてもよい。しかし、或る場合には、PLMN選択はユーザ経験に悪影響を与える可能性がある。例えば、PLMN選択は、IPフローのモビリティのシナリオを妨げることがあり、又はオペレータのアクセス選択又はステアリングポリシー（steering  policy）の強制を妨げることがある。従って、これらの状況では、PLMN選択は必要とされなくてもよく、或いは望ましくなくてもよい。従って、UEが特定のアクセスステアリングポリシー（例えば、ANDSFポリシー）をオペレータから受信する実施例では、UEはPLMN選択を実行しなくてもよい。
【００３７】
或る実施例では、ANDSFポリシーは、UE200のホームオペレータ210のようなホームオペレータにより提供されてもよいが、或る実施例では、ANDSFポリシーは、訪問オペレータ220により提供されてもよい。例えば、或る実施例では、ホームオペレータ210は、訪問オペレータ220がANDSFポリシーをUE200に提供することを許可又は禁止することを選択してもよい。ホームオペレータ210は、例えば、2012年6月に公開された3GPP  Technical  Specification  24.334  v11.3.0により規定された“i-WLAN  HPLMN  Priority  Indication”フラグを使用して、この決定をシグナリングしてもよい。訪問オペレータ220がANDSFポリシーを提供することをホームオペレータ210が可能にした場合、UE200は、UEがVPLMN215のWLAN230にのみ接続できるときに、訪問オペレータ220のANDSFポリシーに従ってもよい。しかし、UE200が訪問オペレータ220のANDSFポリシーを使用することをホームオペレータ210が可能にしないことを選択した場合、UE200は、UE200がローミングしているか否かに拘わらず、ホームオペレータ210から供給されたANDSFポリシーのみを使用してもよい。
【００３８】
図４は、ANDSFポリシーを構築するためにホームオペレータ210又は訪問オペレータ220のようなオペレータにより行われる処理の例を表している。実施例では、400において、オペレータは、まず、WLAN及び／又はWLAN  APのSSID／WSIDを含むANDSFポリシーを構築してもよい。次に405において、オペレータは、WLAN及び／又はWLAN  APの選択に関する更なるパラメータを定めてもよい。実施例では、更なるパラメータは、日時、位置、SSID／WSIDの優先度又は他のパラメータのようなパラメータを含んでもよい。次に410において、オペレータはポリシーをUEに送信してもよい。或る実施例では、オペレータはまた、UEが受信し得るPLMN選択の指示の前又はその代わりに、ANDSFポリシーに従うようにUEへの命令を送信してもよい。
【００３９】
この開示の実施例は、所望のように構成するためにいずれか適切なハードウェア及び／又はソフトウェアを使用してシステムに実装されてもよい。図５は、ここに記載の様々な実施例を実施するために使用され得る例示的なシステム500を概略的に示している。図５は、一実施例について、１つ以上のプロセッサ505と、少なくとも１つのプロセッサ505に結合されたシステム制御ロジック510と、システム制御ロジック510に結合されたシステムメモリ515と、システム制御ロジック510に結合された不揮発性メモリ（NVM）／記憶装置520と、システム制御ロジック510に結合された１つ以上の通信インタフェース525とを有する例示的なシステム500を示している。
【００４０】
或る実施例では、システム500は、ここに記載のUE110又は200として機能することができてもよい。他の実施例では、システム500は、図１に示す実施例又は他に記載の実施例のいずれか１つに示すインフラストラクチャノード105として機能することができてもよい。或る実施例では、システム500は、命令を有する１つ以上のコンピュータ読み取り可能媒体（例えば、システムメモリ又はNVM／記憶装置520）と、１つ以上のコンピュータ読み取り可能媒体に結合され、ここに記載の動作を実行するモジュールを実現する命令を実行するように構成された１つ以上のプロセッサ（例えば、プロセッサ505）とを含んでもよい。
【００４１】
一実施例のシステム制御モジュール510は、少なくとも１つのプロセッサ505及び／又はシステム制御モジュール510と通信するいずれか適切なデバイス若しくはコンポーネントにいずれか適切なインタフェースを提供するためのいずれか適切なインタフェースコントローラを含んでもよい。
【００４２】
システム制御モジュール510は、システムメモリ515にインタフェースを提供するメモリコントローラモジュール530を含んでもよい。メモリコントローラモジュール530は、ハードウェアモジュール、ソフトウェアモジュール及び／又はファームウェアモジュールでもよい。
【００４３】
システムメモリ515は、例えばシステム500のためのデータ及び／又は命令をロード及び格納するために使用されてもよい。一実施例のシステムメモリ515は、例えば適切なDRAMのようないずれか適切な揮発性メモリを含んでもよい。或る実施例では、システムメモリ515は、DDR4  SDRAM（double  data  rate  type  four  synchronous  dynamic  random  access  memory）を含んでもよい。
【００４４】
一実施例のシステム制御モジュール510は、NVM／記憶装置520及び通信インタフェース525にインタフェースを提供する１つ以上の入出力（I/O）コントローラを含んでもよい。
【００４５】
NVM／記憶装置520は、例えばデータ及び／又は命令を格納するために使用されてもよい。NVM／記憶装置520は、いずれか適切な不揮発性メモリ（例えば、フラッシュメモリ等）を含んでもよく、及び／又はいずれか適切な不揮発性記憶デバイス（例えば、１つ以上のHDD（hard  disk  drive）、１つ以上のCD（compact  disk）ドライブ及び／又は１つ以上のDVD（digital  versatile  disk）ドライブ等）を含んでもよい。
【００４６】
NVM／記憶装置520は、システム500がインストールされ得るデバイスの物理的な部分である記憶リソースを含んでもよく、或いは、デバイスによりアクセス可能でもよい（デバイスの必ずしも一部とは限らない）。例えば、NVM／記憶装置520は通信インタフェース525を介したネットワークでアクセスされてもよい。
【００４７】
通信インタフェース525は、システム500が１つ以上のネットワークで通信するため及び／又は他の適切なデバイスと通信するためのインタフェースを提供してもよい。システム500は、１つ以上の無線ネットワーク標準及び／又はプロトコルのいずれかに従って無線ネットワークの１つ以上のコンポーネントと無線で通信してもよい。
【００４８】
一実施例では、少なくとも１つのプロセッサ505は、システム制御モジュール510の１つ以上のコントローラのロジック（例えば、メモリコントローラモジュール530）と共にパッケージ化されてもよい。一実施例では、少なくとも１つのプロセッサ505は、SiP（System  in  Package）を形成するように、システム制御モジュール510の１つ以上のコントローラのロジックと共にパッケージ化されてもよい。一実施例では、少なくとも１つのプロセッサ505は、システム制御モジュール510の１つ以上のコントローラのロジックと同じダイに集積（統合）されてもよい。一実施例では、少なくとも１つのプロセッサ505は、SoC（System  on  Chip）を形成するように、システム制御モジュール510の１つ以上のコントローラのロジックと同じダイに集積されてもよい。
【００４９】
様々な実施例では、システム500は、サーバ、ワークステーション、デスクトップコンピュータデバイス、又はモバイルコンピュータデバイス（例えば、ラップトップコンピュータデバイス、ハンドヘルドコンピュータデバイス、タブレット、ネットブック、スマートフォン、ゲームコンソール等）でもよいが、これらに限定されない。様々な実施例では、システム500は、更に多く又は少ないコンポーネント及び／又は異なるアーキテクチャを有してもよい。例えば、或る実施例では、システム500は、カメラ、キーボード、液晶ディスプレイ（LCD：liquid  crystal  display）画面（タッチスクリーンディスプレイを含む）、不揮発性メモリポート、複数のアンテナ、グラフィックチップ、特定用途向け集積回路（ASIC：application-specific  integrated  circuit）及びスピーカのうち１つ以上を含む。
【００５０】
以下のものを含むこの開示の様々な実施例について説明したが、これらに限定されない。
【００５１】
例１は、無線ローカルエリアネットワーク（WLAN）アクセスポイント（AP）を選択するように構成されたユーザ装置（UE）を含んでもよく、UEは、アクセスネットワーク発見及び選択機能（ANDSF）ポリシーにアクセスするネットワーク選択モジュールと、ネットワーク選択モジュールに結合され、UEの訪問公衆陸上移動体ネットワーク（VPLMN）の訪問オペレータと相互接続するWLANのWLAN  APの指示を受信し、ANDSFポリシーに少なくとも部分的に基づいて訪問オペレータと相互接続するWLANのWLAN  APにUEを接続する要求を送信する通信モジュールとを含む。
【００５２】
例２は、例１の対象を含み、ANDSFポリシーが、UEのホーム公衆陸上移動体ネットワーク（HPLMN）のホームオペレータのANDSFポリシーであることを更に指定してもよい。
【００５３】
例３は、例１の対象を含み、ANDSFポリシーが、訪問オペレータのANDSFポリシーであることを更に指定してもよい。
【００５４】
例４は、例１の対象を含み、通信モジュールが、ANDSFポリシーに少なくとも部分的に基づいてVPLMNに接続する要求を更に送信することを更に指定してもよい。
【００５５】
例５は、例１ないし４のうちいずれかの対象を含み、ANDSFポリシーが、UEの位置、日時、又はUEのホーム公衆陸上移動体ネットワーク（HPLMN）の負荷を含むWLAN選択パラメータを含むことを更に指定してもよい。
【００５６】
例６は、例１ないし４のうちいずれかの対象を含み、ANDSFポリシーが、システム間モビリティポリシー（ISMP）又はシステム間ルーティングポリシー（ISRP）を含むことを更に指定してもよい。
【００５７】
例７は、例１ないし４のうちいずれかの対象を含み、UEが、ネットワーク選択モジュールに結合された電源を更に含むことを更に指定してもよい。
【００５８】
例８は、無線ローカルエリアネットワーク（WLAN）を選択する方法を含んでもよく、この方法は、ユーザ装置（UE）により、アクセスネットワーク発見及び選択機能（ANDSF）ポリシーにアクセスするステップと、UEにより、WLANの指示を受信するステップと、UEにより、ANDSFポリシーに少なくとも部分的に基づいて、選択されたWLANとしてのWLANを選択するステップと、UEにより、公衆陸上移動体ネットワーク（PLMN）の指示を受信するステップと、UEにより、選択されたWLANに少なくとも部分的に基づいて、PLMNを選択するステップとを含む。
【００５９】
例９は、例８の対象を含み、WLANの指示が、WLANのアクセスポイント（AP）のサービスセット識別子（SSID）であることを更に指定してもよい。
【００６０】
例１０は、例８又は９の対象を含み、ANDSFポリシーが、UEの位置又は日時を含むWLAN選択パラメータを含むことを更に指定してもよい。
【００６１】
例１１は、例８又は９の対象を含み、ANDSFポリシーが、システム間モビリティポリシー（ISMP）又はシステム間ルーティングポリシー（ISRP）を含むことを更に指定してもよい。
【００６２】
例１２は、例８又は９の対象を含み、ANDSFポリシーが、3GPP（third  generation  partnership  project）ANDSFポリシーであることを更に指定してもよい。
【００６３】
例１３は、例８又は９の対象を含み、UEにより、UEのホームネットワークのオペレータからANDSFポリシーを受信するステップを更に含んでもよい。
【００６４】
例１４は、例８又は９の対象を含み、UEにより、UEのローミングネットワークのオペレータからANDSFポリシーを受信するステップを更に含んでもよい。
【００６５】
例１５は、無線ローカルエリアネットワーク（WLAN）を選択するように構成された装置を含んでもよく、この装置は、アクセスネットワーク発見及び選択機能（ANDSF）ポリシーにアクセスする手段と、無線ローカルエリアネットワーク（WLAN）の指示を受信する手段と、ANDSFポリシーに少なくとも部分的に基づいて、選択されたWLANとしてのWLANを選択する手段と、公衆陸上移動体ネットワーク（PLMN）の指示を受信する手段と、選択されたWLANに少なくとも部分的に基づいて、PLMNを選択する手段とを含む。
【００６６】
例１６は、例１５の対象を含み、WLANの指示が、WLANのアクセスポイント（AP）のサービスセット識別子（SSID）であることを更に指定してもよい。
【００６７】
例１７は、例１５又は１６の対象を含み、ANDSFポリシーが、UEの位置又は日時を含むWLAN選択パラメータを含むことを更に指定してもよい。
【００６８】
例１８は、例１５又は１６の対象を含み、ANDSFポリシーが、システム間モビリティポリシー（ISMP）又はシステム間ルーティングポリシー（ISRP）を含むことを更に指定してもよい。
【００６９】
例１９は、例１５又は１６の対象を含み、ANDSFポリシーが、3GPP（third  generation  partnership  project）ANDSFポリシーであることを更に指定してもよい。
【００７０】
例２０は、例１５又は１６の対象を含み、UEのホームネットワークのオペレータからANDSFポリシーを受信する手段を更に含んでもよい。
【００７１】
例２１は、例１５又は１６の対象を含み、UEにより、UEのローミングネットワークのオペレータからANDSFポリシーを受信する手段を更に含んでもよい。
【００７２】
例２２は、無線エリアネットワーク（WLAN）を選択する命令を含む１つ以上のコンピュータ読み取り可能媒体を含んでもよく、この命令は、コンピュータデバイスによる命令の実行のときに、コンピュータデバイスに対して、アクセスネットワーク発見及び選択機能（ANDSF）ポリシーにアクセスさせ、WLANの指示を受信させ、ANDSFポリシーに少なくとも部分的に基づいて、選択されたWLANとしてのWLANを選択させ、公衆陸上移動体ネットワーク（PLMN）の指示を受信させ、選択されたWLANに少なくとも部分的に基づいて、PLMNを選択させる。
【００７３】
例２３は、例２２の対象を含み、WLANの指示が、WLANのアクセスポイント（AP）のサービスセット識別子（SSID）であることを更に指定してもよい。
【００７４】
例２４は、例２２又は２３の対象を含み、ANDSFポリシーが、UEの位置又は日時を含むWLAN選択パラメータを含むことを更に指定してもよい。
【００７５】
例２５は、例２２又は２３の対象を含み、ANDSFポリシーが、システム間モビリティポリシー（ISMP）又はシステム間ルーティングポリシー（ISRP）を含むことを更に指定してもよい。
【００７６】
例２６は、例２２又は２３の対象を含み、ANDSFポリシーが、3GPP（third  generation  partnership  project）ANDSFポリシーであることを更に指定してもよい。
【００７７】
例２７は、例２２又は２３の対象を含み、命令が、コンピュータデバイスによる実行のときに、コンピュータデバイスに対して、UEのホームネットワークのオペレータからANDSFポリシーを更に受信させることを更に指定してもよい。
【００７８】
例２８は、例２２又は２３の対象を含み、命令が、コンピュータデバイスによる実行のときに、コンピュータデバイスに対して、UEのローミングネットワークのオペレータからANDSFポリシーを更に受信させることを更に指定してもよい。
【００７９】
例２９は、アクセスネットワーク発見及び選択機能（ANDSF）ポリシーを構築する命令を含む１つ以上のコンピュータ読み取り可能媒体を含んでもよく、この命令は、ANDSFサーバによる命令の実行のときに、ANDSFサーバに対して、複数の無線ローカルエリアネットワーク（WLAN）の複数のアクセスポイント（AP）の複数のサービスセット識別子（SSID）と、WLAN選択パラメータと、ユーザ装置（UE）に対して各SSIDのそれぞれの優先度に従って複数のSSIDのうち１つのSSIDに関連するアクセスポイントに接続させる命令とを含むANDSFポリシーを構築させ、ANDSFポリシーをUEに送信させる。
【００８０】
例３０は、例２９の対象を含み、ANDSFサーバが、UEのホームネットワークのANDSFサーバであることを更に指定してもよい。
【００８１】
例３１は、例２９の対象を含み、ANDSFサーバが、UEの訪問ネットワークのANDSFサーバであることを更に指定してもよい。
【００８２】
例３２は、例２９ないし３１のうちいずれかの対象を含み、WLAN選択パラメータが、WLANの位置、日時、又は無線ネットワークの負荷を含むことを更に指定してもよい。
【００８３】
例３３は、例２９ないし３１のうちいずれかの対象を含み、ANDSFポリシーが、システム間モビリティポリシー（ISMP）又はシステム間ルーティングポリシー（ISRP）であることを更に指定してもよい。
【００８４】
例３４は、例２９ないし３１のうちいずれかの対象を含み、ANDSFポリシーが、3GPP（third  generation  partnership  project）ANDSFポリシーであることを更に指定してもよい。
【００８５】
例３５は、アクセスネットワーク発見及び選択機能（ANDSF）ポリシーを構築する方法を含んでもよく、この方法は、複数の無線ローカルエリアネットワーク（WLAN）の複数のアクセスポイント（AP）の複数のサービスセット識別子（SSID）と、WLAN選択パラメータと、ユーザ装置（UE）に対して各SSIDのそれぞれの優先度に従って複数のSSIDのうち１つのSSIDに関連するアクセスポイントに接続させる命令とを含むANDSFポリシーを構築するステップと、ANDSFポリシーをUEに送信するステップとを含む。
【００８６】
例３６は、例３５の対象を含み、ANDSFサーバが、UEのホームネットワークのANDSFサーバであることを更に指定してもよい。
【００８７】
例３７は、例３５の対象を含み、ANDSFサーバが、UEの訪問ネットワークのANDSFサーバであることを更に指定してもよい。
【００８８】
例３８は、例３５ないし３７のうちいずれかの対象を含み、WLAN選択パラメータが、WLANの位置、日時、又は無線ネットワークの負荷を含むことを更に指定してもよい。
【００８９】
例３９は、例３５ないし３７のうちいずれかの対象を含み、ANDSFポリシーが、システム間モビリティポリシー（ISMP）又はシステム間ルーティングポリシー（ISRP）であることを更に指定してもよい。
【００９０】
例４０は、例３５ないし３７のうちいずれかの対象を含み、ANDSFポリシーが、3GPP（third  generation  partnership  project）ANDSFポリシーであることを更に指定してもよい。
【００９１】
例４１は、アクセスネットワーク発見及び選択機能（ANDSF）ポリシーを構築する装置を含んでもよく、この装置は、複数の無線ローカルエリアネットワーク（WLAN）の複数のアクセスポイント（AP）の複数のサービスセット識別子（SSID）と、WLAN選択パラメータと、ユーザ装置（UE）に対して各SSIDのそれぞれの優先度に従って複数のSSIDのうち１つのSSIDに関連するアクセスポイントに接続させる命令とを含むANDSFポリシーを構築する手段と、ANDSFポリシーをUEに送信する手段とを含む。
【００９２】
例４２は、例４１の対象を含み、ANDSFサーバが、UEのホームネットワークのANDSFサーバであることを更に指定してもよい。
【００９３】
例４３は、例４１の対象を含み、ANDSFサーバが、UEの訪問ネットワークのANDSFサーバであることを更に指定してもよい。
【００９４】
例４４は、例４１ないし４３のうちいずれかの対象を含み、WLAN選択パラメータが、WLANの位置、日時、又は無線ネットワークの負荷を含むことを更に指定してもよい。
【００９５】
例４５は、例４１ないし４３のうちいずれかの対象を含み、ANDSFポリシーが、システム間モビリティポリシー（ISMP）又はシステム間ルーティングポリシー（ISRP）であることを更に指定してもよい。
【００９６】
例４６は、例４１ないし４３のうちいずれかの対象を含み、ANDSFポリシーが、3GPP（third  generation  partnership  project）ANDSFポリシーであることを更に指定してもよい。
【００９７】
例４７は、アクセスネットワーク発見及び選択機能（ANDSF）ポリシーを構築する装置を含んでもよく、この装置は、複数の無線ローカルエリアネットワーク（WLAN）の複数のアクセスポイント（AP）の複数のサービスセット識別子（SSID）と、WLAN選択パラメータと、ユーザ装置（UE）に対して各SSIDのそれぞれの優先度に従って複数のSSIDのうち１つのSSIDに関連するアクセスポイントに接続させる命令とを含むANDSFポリシーを構築するプロセッサと、ANDSFポリシーをUEに送信する送受信機とを含む。
【００９８】
例４８は、例４７の対象を含み、ANDSFサーバが、UEのホームネットワークのANDSFサーバであることを更に指定してもよい。
【００９９】
例４９は、例４７の対象を含み、ANDSFサーバが、UEの訪問ネットワークのANDSFサーバであることを更に指定してもよい。
【０１００】
例５０は、例４７ないし４９のうちいずれかの対象を含み、WLAN選択パラメータが、WLANの位置、日時、又は無線ネットワークの負荷を含むことを更に指定してもよい。
【０１０１】
例５１は、例４７ないし４９のうちいずれかの対象を含み、ANDSFポリシーが、システム間モビリティポリシー（ISMP）又はシステム間ルーティングポリシー（ISRP）であることを更に指定してもよい。
【０１０２】
例５２は、例４７ないし４９のうちいずれかの対象を含み、ANDSFポリシーが、3GPP（third  generation  partnership  project）ANDSFポリシーであることを更に指定してもよい。
【０１０３】
特定の実施例について説明の目的で図示及び記載したが、この出願は、ここに説明した実施例のいずれかの適応又は変更をカバーすることを意図する。従って、ここに記載の実施例は、特許請求の範囲のみにより限定されることを明らかに意図する。
【０１０４】
この開示は単数の要素若しくは“第１の”要素又はこれらの等価物を記載するが、このような開示は、２つ以上のこのような要素を要求又は除外することなく、１つ以上のこのような要素を含む。更に、特定の要素の順序の指標（例えば、第１、第２又は第３）は、要素間を区別するために使用されており、特に言及しない限り、このような要素の必要な数又は限られた数を指示又は暗示するものではなく、このような要素の特定の位置又は順序を示すものでもない。
【図１】
2015536096.tif 000003
【図２】
2015536096.tif 000004
【図３】
2015536096.tif 000005
【図４】
2015536096.tif 000006
【図５】
2015536096.tif 000007
【国際調査報告】
2015536096.tif 000008
2015536096.tif 000009